(57)【要約】【課題】  メダルに代えて遊技球で遊技を行うにあたり、メダル並みの高単価を実現することにより、時間あたりの遊技球処理個数を削減し、その結果、パチンコ機用遊技球処理装置の流用を可能にして、遊技機の大幅なコストダウンを図る。【解決手段】  本発明の遊技球１は、スロットマシンなどの遊技機で使用される遊技球であって、球内に複数の小球２を収納して構成されている。すなわち、球内に収納した小球２の単価を、パチンコ球の単価と見做すことにより、遊技球１の単価を数倍（小球２の個数倍）に高めることができる。そして、本発明の遊技機１０は、遊技球を使用して遊技されるスロットマシンなどの遊技機であって、上記の遊技球１を使用して遊技できるように構成してある。【選択図】  図１
2006212128.tif 000002
【特許請求の範囲】
【請求項１】
遊技機で使用される遊技球であって、球内に複数の小球を収納したことを特徴とする遊技球。
【請求項２】
前記複数の小球が、５個の小球からなる請求項１記載の遊技球。
【請求項３】
前記複数の小球が、球内に固定して収納される請求項１又は２記載の遊技球。
【請求項４】
前記複数の小球が、環状に配置されて球内に収納される請求項３記載の遊技球。
【請求項５】
前記複数の小球が、底面同士を重ねた複数の三角錐の頂点位置に配置されて球内に収納される請求項３記載の遊技球。
【請求項６】
前記複数の小球が、中空状の球殻内空間に収納される請求項１又は２記載の遊技球。
【請求項７】
前記複数の小球が、球外表面に露出しないように球内に収納される請求項１乃至６のいずれかに記載の遊技球。
【請求項８】
前記複数の小球が、球外部から視認可能に球内に収納される請求項１乃至７のいずれかに記載の遊技球。
【請求項９】
前記複数の小球を収納した球本体の直径が１１ｍｍである請求項１乃至８のいずれかに記載の遊技球。
【請求項１０】
前記複数の小球を収納した球本体の直径が１１ｍｍ以外である請求項１乃至８のいずれかに記載の遊技球。
【請求項１１】
前記複数の小球の全部又は一部は、表面が金属色である請求項１乃至１０のいずれかに記載の遊技球。
【請求項１２】
前記複数の小球の全部又は一部は、表面が金色である請求項１乃至１１のいずれかに記載の遊技球。
【請求項１３】
前記複数の小球の全部又は一部は、合成樹脂からなる請求項１乃至１２のいずれかに記載の遊技球。
【請求項１４】
前記複数の小球の全部又は一部は、非磁性体からなる請求項１乃至１３のいずれかに記載の遊技球。
【請求項１５】
前記複数の小球の全部又は一部は、パチンコ機で使用可能なパチンコ球である請求項１乃至１４のいずれかに記載の遊技球。
【請求項１６】
遊技球を使用して遊技される遊技機であって、請求項１乃至１５のいずれかに記載の遊技球を使用して遊技されることを特徴とする遊技機。
【発明の詳細な説明】
【技術分野】
【０００１】
本発明は、遊技機で使用される遊技球と、遊技球を使用して遊技される遊技機に関し、特に、１個の遊技球でメダル１枚に相当する高価値を有する遊技球を実現し、既存の遊技球処理装置等にそのまま適用可能な、遊技球で遊技可能な回胴式遊技機に好適な遊技球及び遊技機に関する。
【背景技術】
【０００２】
現行の遊技機に関する規則では、回胴式遊技機（スロットマシン）において、メダルに代えて遊技球を使用して遊技可能な遊技機が認められている。
遊技球は、メダルと比較して装置における取扱性が優れているため、遊技球の使用を可能にしたスロットマシンでは、遊技者による遊技媒体の投入操作を自動化できるだけでなく、遊技場内の補給樋等からスロットマシンに対する遊技媒体の自動補給が可能になるという利点がある。
【０００３】
このため、例えば、特許文献１には、パチンコ球を使用して遊技可能なスロットマシンが提案されている。
この特許文献１記載のスロットマシンは、遊技球を溜める上皿と、ここに溜められた遊技球を遊技者のＢＥＴ操作（賭け数設定操作）に応じてマシン内に取り込む球取込装置と、島の補給樋から補給される遊技球を溜める上タンクと、ゲームの入賞内容に応じた個数の遊技球を上タンクから上皿に排出する賞球排出装置とを備えることにより、遊技球の自動投入や自動補給を可能にしたパチンコ玉で遊技が行えるようになっている。
【０００４】
【特許文献１】特公平０８−０１１１３８号公報（第２−３頁、第１図）
【発明の開示】
【発明が解決しようとする課題】
【０００５】
ところで、現行の遊技機規則では、スロットマシンにおいてメダルに代えて遊技球（パチンコ球）を使用する場合には、球はメダルの５倍数と評価すること、すなわち、メダル１枚には球５個が相当する旨が定められている。
このため、特許文献１に記載のスロットマシンのように、パチンコ球をそのまま使用するスロットマシンの場合、パチンコ球はメダルの１／５単価に相当するため、メダル１枚に対して規定に定められた所定球数（５個）のパチンコ球を一単位として使用する必要がある。すなわち、メダル１枚分につき５個のパチンコ玉をマシン内に取り込む必要があり、賞球もメダル１枚につき所定倍数（５倍）のパチンコ球を払い出す必要があった。
その結果、単位時間あたりの処理球数が通常のパチンコ機よりも多くなってしまい、パチンコ機で使用している遊技球処理装置等をそのまま使用することができないという問題が発生した。
【０００６】
例えば、４．１秒毎に１ゲームの遊技が可能なスロットマシンにおいて、メダルの代わりにパチンコ球を用いる場合についてみると、スロットマシンに求められる遊技球の取込処理能力は、４．１秒あたり１ゲームの最大賭け数である１５球（メダル３枚×５）として、１分あたりの処理球数は約２００球となる。これは、現行のパチンコ機（１分あたり約１００球を処理可能）の約２倍の処理能力を必要とする。
また、要求される遊技球の払出処理能力は、現行のスロットマシンでは２秒でメダル１５枚の払出が可能となっており、これをパチンコ玉に換算すると７５球となり、１秒あたり３７．５球の払出が必要となり、現行のパチンコ機の払出処理能力を大きく上回ることになる。
【０００７】
そして、このように現行のパチンコ機の２倍以上の処理能力を有する遊技機は、機構的にも強度や耐久性の面からも実現は難しいものとなっていた。
すなわち、メダルに代えて単に既存のパチンコ球をそのまま流用しよとするスロットマシンでは、処理速度や強度上の問題から、既存のパチンコ用の遊技球処理装置では対応ができず、機械構成や強度，耐久性を満足する専用の装置等が必要となり、現実には実現が困難なものとなっていた。
このため、１個でメダル１枚相当の価値を有する遊技球と、その遊技球によって遊技可能なスロットマシンが望まれるようになったが、現在までのところこれを実現する有効な提案はなされていない。
【０００８】
本発明は、上記の事情にかんがみなされたものであり、メダルに代えて遊技球で遊技を行うにあたり、球１個あたり所定のメダル相当の高価値を有する遊技球を実現することにより、単位時間あたりの遊技球処理個数を削減し、その結果、パチンコ機用遊技球処理装置の流用を可能にして、遊技機の大幅なコストダウンが図れる遊技球及び遊技機の提供を目的とする。
【課題を解決するための手段】
【０００９】
上記目的を達成するため、本発明の遊技球は、請求項１に記載するように、遊技機で使用される遊技球であって、球内に複数の小球を収納した構成としてある。
このようにすると、球内に収納した小球の単価を、例えばパチンコ球１個分の単価と見做すことにより、複数の小球を収納した遊技球は、単価をパチンコ球の数倍（小球の個数倍）に高めることができる。これにより、球１個がメダル１枚分に相当する高単価の遊技球を実現することができる。
従って、このような本発明にかかる遊技球を使用すれば、時間あたりの遊技球処理個数を削減できるとともに、既存のパチンコ機用の遊技球処理装置等も多少の改造等により流用可能となり、遊技機及び必要な設備等の大幅なコストダウンを図ることが可能となる。
【００１０】
また、請求項２に記載するように、複数の小球が、５個の小球からなる構成としてある。
このようにすると、現行の規定である「球はメダルの５倍数と評価する」こと、すなわち、「メダル１枚には球５個が相当する」旨の規定内容に合致して、遊技球に５倍の単価を設定することができることになり、小球５個を備えた遊技球１個でメダル１枚に相当する高単価の遊技球を実現できる。
【００１１】
また、請求項３に記載するように、複数の小球が、球内に固定して収納される構成としてある。
このようにすると、球本体内で小球が移動不能に固定され、小球の移動による球本体の重心移動によって取扱性が低下するような事態を防止できる。
【００１２】
また、請求項４に記載するように、複数の小球が、環状に配置されて球内に収納される構成としてある。
このようにすると、例えば５個の小球が平面的に配置されるので、小玉を球本体内にバランス良く配設でき、また、小球の個数を外部から一目で確認することができる。
【００１３】
また、請求項５に記載するように、複数の小球が、底面同士を重ねた複数の三角錐の頂点位置に配置されて球内に収納されるようにしてもよい。
このようにすると、例えば５個の小球が遊技球内に立体的にバランス良く配置することができ、遊技球の外観が向上するだけでなく、重心の偏りを避けて、遊技球の取扱性を向上させることができる。
【００１４】
また、請求項６に記載するように、複数の小球が、中空状の球殻内空間に収納される構成としてもよい。
このようにすると、球本体の中空状の球殻空間内において小球が細かく移動可能に収納でき、例えば、小球同士や各小球と球本体内壁とが衝突して、音や振動を発生させ、球本体内の小球の存在を強調することができる。
【００１５】
また、請求項７に記載するように、複数の小球が、球外表面に露出しないように球内に収納される構成としてある。
このようにすると、遊技球の球本体の外表面に所定厚さの表層が形成されることになり、取扱時の表面破損等を防止し、遊技球の耐久性を高めて寿命を延ばすことができる。
【００１６】
また、請求項８に記載するように、複数の小球が、球外部から視認可能に球内に収納される構成としてある。
このようにすると、視覚的にパチンコ球と差別化できるとともに、球本体内に収納された小球の個数確認により遊技球の単価を明確化することができる。
【００１７】
また、請求項９に記載するように、複数の小球を収納した球本体の直径が１１ｍｍとしてある。
このようにすると、球本体が現行のパチンコ球と同じサイズになるので、パチンコ機用の遊技球処理装置等をそのまま使用することができ、既存のパチンコホール等にも容易に適用することができる。
【００１８】
また、請求項１０に記載するように、複数の小球を収納した球本体の直径が１１ｍｍ以外としてもよい。
このようにすると、球本体が現行のパチンコ球と異なるサイズになるので、パチンコ球との識別を容易にし、パチンコ球用の処理装置等への誤挿入等を機械的に防止でき、また、本発明の遊技球用の装置等へのパチンコ球の混入も防止できる。
【００１９】
また、請求項１１に記載するように、複数の小球の全部又は一部は、表面が金属色である構成としてある。
このようにすると、小球の価値がパチンコ球（金属色）の価値と同等であることを強調できる。
【００２０】
また、請求項１２に記載するように、複数の小球の全部又は一部は、表面が金色である構成としてある。
このようにすると、最も普及している銀色のパチンコ球と差別化できるとともに、高級感を演出することができる。
【００２１】
また、請求項１３に記載するように、複数の小球の全部又は一部は、合成樹脂からなる構成としてある。
このようにすると、遊技球のコストダウンや軽量化，高耐久性，耐衝撃性を図ることができる。また、小球を樹脂製の球本体内に封止するような場合は、小球と封止材の熱膨張率を近似させることができるので、熱収縮による遊技球の割れ等を防止できる。
【００２２】
また、請求項１４に記載するように、複数の小球の全部又は一部は、非磁性体からなる構成としてある。
このようにすると、磁性体からなる現行のパチンコ球と磁気的な特性を相違させることができ、パチンコ球との識別を容易にすることができる。
【００２３】
また、請求項１５に記載するように、複数の小球の全部又は一部は、パチンコ機で使用可能なパチンコ球である構成とすることができる。
このようにすると、小球の価値を視覚的にも実質的にもパチンコ球の価値に一致させて、本発明にかかる遊技球の価値をより明確にすることができる。
【００２４】
さらに、本発明の遊技機は、請求項１６に記載するように、遊技球を使用して遊技される遊技機であって、遊技球として、本発明にかかる遊技球を使用して遊技される構成としてある。
このようにすると、メダル並みの高単価を実現した本発明の遊技球を用いることができ、時間あたりの遊技球処理個数を削減できるとともに、既存のパチンコ機用の遊技球処理装置等の流用も可能となり、遊技機の大幅なコストダウンが図れるようになる。
【発明の効果】
【００２５】
本発明によれば、球本体内に収納した小球の単価を、パチンコ球の単価と見做すことにより、遊技球の単価を数倍（小球の個数倍）に高めることができる。
これにより、遊技球１個でメダル１枚並みの高単価を実現し、時間あたりの遊技球処理個数を削減できるとともに、パチンコ機用遊技球処理装置の流用を可能にして、遊技機の大幅なコストダウンが図ることができる。
【発明を実施するための最良の形態】
【００２６】
以下、本発明の一実施形態に係る遊技球及び遊技機ついて、図面を参照して説明する。
［遊技球］
まず、本発明の一実施形態に係る遊技球について、図１〜図６を参照して説明する。
図１は、本発明の実施形態に係る遊技球の斜視図、図２の（ａ）及び（ｂ）は、本発明の実施形態に係る遊技球の断面図である。
【００２７】
図１に示す遊技球１は、スロットマシンなどの遊技機でメダルに代えて使用されるものであって、球本体内に複数の小球２が収納される。そして、球本体内に収納される小球２の単価を、パチンコ球の単価と見做すことにより、遊技球１の単価を数倍（小球２の個数倍）に高めるようにしてある。
具体的には、小球２は、図２（ａ）に示すように、球本体内に固定された状態で収納することができる。
このように小球２を固定した遊技球１は、例えば、複数の小球２を樹脂などの封止材３で封止することにより構成できる。このようにすると、球内で小球２が移動しないため、重心移動による取扱性の低下を回避できる。
【００２８】
また、小球２は、図２（ｂ）に示すように、中空状に形成された球本体の球殻中空空間に非固定状態で収納することもできる。
このように小球２を非固定状態に収納する遊技球１は、例えば、透明な樹脂等で形成される中空の球ケース４に複数の小球２を収納することにより構成できる。このようにすると、球殻内において小球２が移動可能となり、小球同士の衝突や小球２と球ケース４との衝突等により、音や振動が発生して内部の小球２の存在を強調することができる。なお、球ケース４は、２分割等されたケースを固着等して開閉不能に構成することもでき、また、ケースを嵌合構造にして開閉可能な構成とすることもできる。
【００２９】
また、小球２は、遊技球１の外表面に露出させないように収納される。小球２を遊技球１の外表面に露出させないためには、小球２を収納する遊技球１の少なくとも本体表層が所定の厚さを有する構成となり、これによって、取扱時の表面破損等を防止し、遊技球１の耐久性を高めて寿命を延ばすことができる。
また、小球２は、球外から視認可能に収納されることが好ましい。具体的には、透明な樹脂からなる封止材３で不透明な小球２を封止したり、透明な樹脂やガラス，セラミックスなどで形成される中空の球ケース４に不透明な小球２を収納することで、小球２を外部から視認可能とすることができる。このようにすると、視覚的にパチンコ球と差別化できるだけでなく、小球２の個数確認により遊技球１の単価を明確化することができる。
【００３０】
また、小球２を収納した遊技球１の表面は各種材料によりコーティングすることができ、遊技球１の外観や強度を向上させることができる。
例えば、遊技球１の表面を屈折率の異なる透明材料により一層又は二層以上にコーティングすることで、外部からの光が屈折率の異なるコーティング層を透過して遊技球内の小球２に反射して、遊技球全体を虹色発色させることができ、遊技球１の外観を向上させることができ、また、遊技球１の表面硬度を改善することもできる。
また、遊技球１の表面にチタンコーティングやフッ素コーティング等を施すことで、表面硬度を向上させることができ、また、汚れ防止や滅菌効果等も得ることができる。
【００３１】
ここで、遊技球１の球本体の直径は、例えば、現行のパチンコ球と同じ１１ｍｍとすることができ、また、この１１ｍｍ以外の直径とすることもできる。
遊技球１の直径を１１ｍｍとした場合は、現行のパチンコ球と同じサイズになるので、遊技球１を、パチンコ機用の既存の遊技球処理装置等で直ちに使用可能とすることができる。
一方、遊技球１の直径を１１ｍｍ以外とした場合は、現行のパチンコ球とは異なるサイズとなるので、パチンコ球との識別が容易となり、遊技球１がパチンコ球用の処理装置等へ誤挿入等されるのを機械的に防止でき、また、遊技球１用の装置等へパチンコ球が混入するのも防止できる。
【００３２】
また、小球２の表面色は、金色や銀色などの金属色とすることができる。
このように小球２を金属色することで、小球２の価値がパチンコ球（金属色）の価値と同等であることを強調できる。
また、小球２の表面色を金色とした場合は、最も普及している銀色のパチンコ球と差別化できるだけでなく、高級感を演出することができる。
【００３３】
小球２の材質としては、特に限定されず、金属製や合成樹脂製等とすることができるが、本実施形態では、特に、小球２を合成樹脂により形成するようにしてある。
小球２を合成樹脂製とすることにより、遊技球１全体のコストダウンや軽量化を図ることができるとともに、小球２を樹脂製の封止材３で封止する場合に、小球２と封止材３の熱膨張率を近似又は同一とすることができ、熱収縮による遊技球１の割れ等の発生を防止することができる。
また、本実施形態の遊技球１は、スロットマシンの遊技媒体として使用されるものであり、パチンコ球の場合と異なり、ハンマで打たれることがないので、樹脂製であっても強度的には何等問題はない。
【００３４】
また、小球２は、非磁性体であることが好ましい。このようにすると、磁性体からなる現行のパチンコ球と磁気的な特性を相違させ、パチンコ球との識別を容易にすることができる。
なお、小球２は、パチンコ機で使用可能なパチンコ球としてもよい。このようにすると、小球２の価値を視覚的にも実質的にもパチンコ球の価値に一致させることができ、遊技球１の価値をより明確にすることが可能となる。
さらに、小球２の個数としては、５個とすることが好ましい。
このようにすると、遊技球１がパチンコ球の５倍の価値を有するように設定でき、現行のメダルに相当する高単価の遊技球１が実現できることになる。
【００３５】
［小球配置例］
以下、球本体内に小球２を収納する場合の配置例を示す。以下に示す例は小球２が５個収納・配置される場合である。
図３は、本実施形態に係る遊技球１の小球配置例１を模式的に示す図であり、（ａ）は平面図、（ｂ）は正面図である。図４は、同じく小球配置例２を示す図で、（ａ）は平面図、（ｂ）は正面図である。図５は、同じく小球配置例３を示す図で、（ａ）は平面図、（ｂ）は正面図である。
また、図６は、図５に示す遊技球の小球配置例３の斜視図である。
【００３６】
図３及び図１に示すように、小球配置例１では、５個の小球２を、底面同士を重ねた二つの仮想三角錐の頂点位置に配置している。
このようにすると、５個の小球２が遊技球１内に立体的にバランス良く配置されるので、遊技球１の外観が向上するだけでなく、重心の偏りを避けて、遊技球１の取扱性を向上させることができる。
なお、この小球配置例１を直径１１ｍｍの遊技球１に適用する場合、小球２は直径が約４．５６ｍｍ以下となる。
【００３７】
図４に示す小球配置例２では、５個の小球２を、底面同士を重ねた二つの仮想三角錐の頂点位置に配置している点が小球配置例１と同じであるが、底面の頂点に配置される小球２同士の間隔が小球配置例１と相違している。
すなわち、小球配置例２では、底面の頂点に配置される小球２同士を殆ど隙間なく近接状態で配置してある。
なお、この小球配置例２を直径１１ｍｍの遊技球１に適用する場合、小球２は直径が約４．１８ｍｍ以下となる。
【００３８】
図５及び図６に示す小球配置例３では、５個の小球２を球本体内に環状（リング状）に配置している。
このようにすると、５個の小球２が平面的に配置されるので、小球２をバランス良く配置することができるとともに、小球２の個数を容易に確認することができる。
なお、この小球配置例３を直径１１ｍｍの遊技球１に適用する場合、小球２は直径が約４．０７ｍｍ以下となる。
【００３９】
［遊技機］
つぎに、以上のような構成からなる遊技球１を遊技媒体として使用可能な本実施形態に係る遊技機について、図７及び図８を参照して説明する。
図７は、本実施形態に係る遊技機の正面斜視図、図８は、本発明の実施形態に係る遊技機の内部斜視図である。
これらの図に示すように、遊技機１０は、メダルに代えて遊技球を使用して遊技されるスロットマシンであって、上述した本実施形態にかかる遊技球１を使用して遊技するように構成されている。このように構成される本実施形態の遊技機１０によれば、メダル並みの高単価を実現する遊技球１を用いることにより、時間あたりの遊技球処理個数を削減できるだけでなく、パチンコ機用遊技球処理装置の流用を可能にして、遊技機１０の大幅なコストダウンが図れる。
【００４０】
以下、遊技機１０の構成を具体的に説明する。
図７及び図８に示すように、遊技機１０は、前扉１１の前面側に、遊技球１を溜める上皿１２と、ゲームに掛ける遊技球１の個数（１〜３個）を指定する三つのＢＥＴスイッチ１３（１３ａ〜１３ｃ）と、回胴１４（１４ａ〜１４ｃ）の回転をスタートさせるスタートレバー１５と、回胴１４の回転を停止させる三つのストップボタン１６（１６ａ〜１６ｃ）と、上皿１２の余剰球を溜める下皿１７とを備えている。
【００４１】
また、前扉１１の後面側又はマシン内部には、回胴１４が組込まれるドラムユニット１８と、島の補給樋１９から補給される遊技球１を溜める上タンク２０と、ゲームの入賞内容に応じた個数の遊技球１を上タンク２０から上皿１２に排出する賞球排出装置２１と、上皿１２に溜められた遊技球１を遊技者のＢＥＴ操作（賭け数設定操作）に応じてマシン内に取り込む球取込装置２２と、これらを制御する制御部２３とを備えて構成されている。
【００４２】
このような構成からなる遊技機１０で遊技を行う場合、遊技者は、まず所定の単価で遊技球１の貸出を受けることになるが、本実施形態の遊技球１は、球内に複数の小球２が収納されたものであり、球内に収納した小球２の単価を、パチンコ球の単価と見做すことにより、パチンコ球の数倍（５倍等）の単価で貸し出されることになる。
本実施形態では、遊技球１に５個の小球２を収納することで、遊技球１をパチンコ球の５倍の単価としてあり、現行のメダル貸出単価に一致させることができる。なお、この遊技球１の貸出処理，貸出操作は、スロットマシン１０や台間玉貸し機（図示せず）で行われる。
【００４３】
一方、スロットマシン１０では、ゲーム毎の遊技球取込個数や、入賞内容に応じた賞球払出個数が上記の貸出単価に基づいて設定されている。
例えば、遊技球１の貸出単価をパチンコ球の５倍とし、現行のメダル貸出単価に一致させる場合、ゲーム毎の遊技球取込個数は、メダルと同じ１〜３個に設定され、最大の賞球払出個数も、メダルと同じ１５個に設定される。
従って、パチンコ球で遊技を行うスロットマシンに比べ、時間あたりの遊技球処理個数を削減でき、その結果、パチンコ機用遊技球処理装置の流用を可能にして、遊技機１０の大幅なコストダウンが図れることになる。
【００４４】
以上説明したように、まず、本実施形態の遊技球１によれば、遊技球１の球本体内に収納した小球の単価を、例えばパチンコ球１個分の単価と見做すことにより、複数の小球を収納した遊技球は、単価をパチンコ球の数倍（小球の個数倍）に高めることができる。これにより、１個の遊技球１がメダル１枚分に相当する高単価の遊技球を実現することができる。
そして、このような遊技球１を使用可能な本実施形態の遊技機１０によれば、高単価な遊技球１により、時間あたりの遊技球処理個数を削減できるとともに、既存のパチンコ機用の遊技球処理装置等もそのまま流用可能となり、遊技機及び必要な設備等の大幅なコストダウンを図ることが可能となる。
【００４５】
以上、本発明の遊技球及び遊技機について、好ましい実施形態を示して説明したが、本発明に係る遊技球及び遊技機は、上述した実施形態にのみ限定されるものではなく、本発明の範囲で種々の変更実施が可能であることは言うまでもない。
例えば、上述した実施形態では、遊技球の球本体内に収納される小球の個数が５個の場合について説明したが、小球の個数は５個の場合に限らず、任意の個数とすることができる。
【産業上の利用可能性】
【００４６】
本発明は、遊技機で使用される遊技球と、遊技球を使用して遊技される遊技機に適用できる。特に、本発明の遊技球は、メダル並みの高単価を実現できるので、メダルに代えて遊技球で遊技されるスロットマシンなどの遊技機に好適に利用可能である。
【図面の簡単な説明】
【００４７】
【図１】本発明の一実施形態に係る遊技球の斜視図である。
【図２】本発明の一実施形態に係る遊技球の断面図であり、（ａ）は小球が遊技球内に固定されて収納される場合、（ｂ）は小球が遊技球内に非固定状態で収納される場合である。
【図３】本発明の一実施形態に係る遊技球の小球配置例１を模式的に示す図であり、（ａ）は平面図、（ｂ）は正面図である。
【図４】本発明の一実施形態に係る遊技球の小球配置例２を模式的に示す図であり、（ａ）は平面図、（ｂ）は正面図である。
【図５】本発明の一実施形態に係る遊技球の小球配置例３を模式的に示す図であり、（ａ）は平面図、（ｂ）は正面図である。
【図６】図５に示す本発明の一実施形態に係る遊技球の小球配置例３を示す斜視図である。
【図７】本発明の一実施形態に係る遊技機の正面斜視図である。
【図８】本発明の一実施形態に係る遊技機の内部斜視図である。
【符号の説明】
【００４８】
１  遊技球（球本体）
２  小球
３  封止材
４  球ケース
１０  遊技機
１１  前扉
１２  上皿
１３  ＢＥＴスイッチ
１４  回胴
１５  スタートレバー
１６  ストップボタン
１７  下皿
１８  ドラムユニット
１９  補給樋
２０  上タンク
２１  賞球排出装置
２２  球取込装置
２３  制御部
【図１】
2006212128.tif 000003
【図２】
2006212128.tif 000004
【図３】
2006212128.tif 000005
【図４】
2006212128.tif 000006
【図５】
2006212128.tif 000007
【図６】
2006212128.tif 000008
【図７】
2006212128.tif 000009
【図８】
2006212128.tif 000010